(57)【要約】      （修正有）【課題】音声再生の際の障害を減少させるために、簡易な構造でスピーカーユニットからバッフル板に伝わる振動を防止できるスピーカーを提供する。【解決手段】スピーカーは、スピーカー筐体２と、筐体のフロントバッフル板２３に設置されたスピーカーユニット３と、フロントバッフル板とスピーカーユニットとの間に設置された緩衝材６と、スピーカーユニットのダイキャストフレーム５を引っ張ることによってスピーカーユニットをフロントバッフル板に固定する非伸縮性の固定部材（ダイニーマロープ７等のケーブル）とを備える。【選択図】図１
0003230885.tif 000002
【実用新案登録請求の範囲】
【請求項１】
スピーカー筐体と、
前記筐体のフロントバッフル板に設置されたスピーカーユニットと、
前記フロントバッフル板と前記スピーカーユニットとの間に設置された緩衝材と、
前記スピーカーユニットのダイキャストフレームを引っ張ることによって前記スピーカーユニットを前記フロントバッフル板に固定する非伸縮性の固定部材と、
を備えるスピーカー。
【請求項２】
前記固定部材は、ケーブルであり、前記スピーカーユニットは、前記ダイキャストフレームを前記ケーブルで引っ張る張力によって前記フロントバッフル板に固定される、請求項1に記載のスピーカー。
【請求項３】
前記ケーブルは、前記ダイキャストフレームを引っ張り、かつリアバッフル板に固定される、請求項2に記載のスピーカー。
【請求項４】
前記ケーブルは、前記ダイキャストフレームを引っ張り、かつ前記筐体内に設置された固定板に固定される、請求項2に記載のスピーカー。
【請求項５】
前記ケーブルは、前記ダイキャストフレームを引っ張り、かつ前記筐体内の固定板に固定され、前記固定板は、ボルトを介して前記リアバッフル板に固定される、請求項2に記載のスピーカー。
【考案の詳細な説明】
【技術分野】
【０００１】
本考案は、スピーカーに関する。より詳細には、本考案は、音質が改善されたスピーカーに関する。さらに、本考案は、スピーカーユニットを筐体に設置する方法に関する。
【背景技術】
【０００２】
スピーカーにおいて、スピーカーユニットは、通常筐体に収容される。筐体は、エンクロージャーとも呼ばれる。スピーカーユニットを筐体内に設置する理由は、デザインや機能的な側面だけでなく、音質改善を目的としている。裸のスピーカーユニット単体では、スピーカーユニットの前面から出る音が後面から出る音によって打ち消されてしまう。これを防ぐためにバッフル板でスピーカーユニットから出る音をさえぎるために、筐体内に収容される。
【０００３】
スピーカーユニットを筐体内に設置する場合、スピーカーユニットをバッフル板にねじ止めすることによって固定することが多い。通常、スピーカーユニットは、4〜6個程度のねじ取り付け穴があり、これらの穴にねじ止めしてバッフル板に固定することが定石である。
【０００４】
このようにスピーカーユニットをバッフル板に直接ねじ止めすると、スピーカーユニットから音が再生される際にバッフル板にスピーカーユニットの振動が直接伝わってしまい、不要な振動がスピーカーユニットだけでなく、筐体やスピーカー端子にまで及んでしまう。その結果、従来のスピーカーユニットの固定方法では、音声再生に対して種々の障害が生じてしまう。
【０００５】
音声再生の際の障害を減少させるために種々のスピーカーが開発されているが、簡易な構造でスピーカーユニットからバッフル板に伝わる振動を防止することができるスピーカーが求められる。
【考案の概要】
【考案が解決しようとする課題】
【０００６】
本考案は、音声再生の際の障害を減少させるために、簡易な構造でスピーカーユニットからバッフル板に伝わる振動を防止することができるスピーカーを提供することを目的とする。
【課題を解決するための手段】
【０００７】
本考案者は、上記課題を解決するために鋭意検討を行った結果、スピーカーユニットとバッフル板の間に緩衝材を挟んでスピーカーユニットの後方からスピーカーユニットを引っ張って固定することにより、筐体とスピーカーユニットとの間に生じる振動を防止することができ、スピーカーユニットの本来の再生音を生かすことができることを見出し、本考案を完成させた。
【０００８】
本考案は、スピーカー筐体と、前記筐体のフロントバッフル板に設置されたスピーカーユニットと、前記フロントバッフル板と前記スピーカーユニットとの間に設置された緩衝材と、前記スピーカーユニットのダイキャストフレームを引っ張ることによって前記スピーカーユニットを前記フロントバッフル板に固定する非伸縮性の固定部材とを備えるスピーカーを提供する。
【０００９】
また、本考案は、前記固定部材がケーブルであり、前記スピーカーユニットは、前記ダイキャストフレームを前記ケーブルで引っ張る張力によって前記フロントバッフル板に固定される、上記スピーカーを提供する。
【００１０】
また、本考案は、前記ケーブルが前記ダイキャストフレームを引っ張り、かつリアバッフル板に固定される、上記スピーカーを提供する。
【００１１】
また、本考案は、前記ケーブルが前記ダイキャストフレームを引っ張り、かつ前記筐体内に設置された固定板に固定される、上記スピーカーを提供する。
【００１２】
また、本考案は、前記ケーブルは、前記ダイキャストフレームを引っ張り、かつ前記筐体内の固定板に固定され、前記固定板は、ボルトを介して前記リアバッフル板に固定される、上記スピーカーを提供する。
【００１３】
さらに、本考案は、前記緩衝材がソルボセインである、上記スピーカーを提供する。
【考案の効果】
【００１４】
本考案によれば、簡易な構造でスピーカーユニットからバッフル板に伝わる振動を防止することができ、従来のフレームマウント方式のスピーカーシステムを凌ぐリアルな再生音を提供することができる。
【図面の簡単な説明】
【００１５】
【図１】本考案のスピーカーの一例を示す概略図。
【図２】本考案のスピーカーの一例を示す概略図。
【図３】本考案のスピーカーの一例を示す概略図。
【図４】一般的なスピーカーを示す図。
【図５】本考案のスピーカーにおいて、スピーカーユニットに対して緩衝材として厚さ3mmのソルボセインを設置した写真。
【図６】本考案のスピーカーにおいて、スピーカーユニットを筐体に取り付ける前の写真。
【図７】図1に示したスピーカーにおいて、固定部材としてのストリングをリアバッフル板に固定したときの張力を測定する写真。
【図８】本考案のスピーカーにおいて、スピーカーユニットをストリングで固定したときの筐体内部の写真。
【図９】本考案のスピーカーにおいて、固定部材としてのストリングをリアバッフル板に固定したときの張力を調整するために木片を挿入した写真。
【図１０】本考案のスピーカーの一例を示す写真。
【考案を実施するための形態】
【００１６】
以下、図面を参照して本考案のスピーカーを説明する。本考案のスピーカー1は、スピーカー筐体2と、筐体2のフロントバッフル板23に設置されたスピーカーユニット3と、フロントバッフル板23とスピーカーユニット3との間に設置された緩衝材6と、スピーカーユニット3のダイキャストフレーム5を引っ張ることによってスピーカーユニット3をフロントバッフル板23に固定する非伸縮性の固定部材とを備える。
【００１７】
スピーカー筐体は、一般にエンクロージャーとも呼ばれ、スピーカーユニット3を収納する箱をいう。スピーカー筐体2は、図4に示すように一般にフロントバッフル板23にスピーカーユニット3が固定され、その他の5面がバッフル板で囲まれている。本考案のスピーカー筐体2は、当業者に公知の任意の形態であることができ、たとえば密閉型、バスレフ型、ホーン型などの任意の形状の筐体であることができる。
【００１８】
スピーカー筐体2には、図1〜3に示すように、フロントバッフル板23にスピーカーユニット3が設置される。また、フロントバッフル板23にスピーカーユニット3の間には、緩衝材6が設置される。図1〜3は、本考案のスピーカー1の側面断面図を示す。フロントバッフル板23および緩衝材6には、スピーカーユニット3の取り付け穴が開けられている。通常、スピーカーユニットの製造者により取り付け穴の口径が指定される。しかし、本願考案のスピーカーでは、フロントバッフル板23に対して指定の口径よりも大きな穴を開けることが好ましい。たとえば、フロントバッフル板23に対して指定の口径よりも2〜4mm大きな穴を開けることが好ましい。これにより、スピーカーユニット3がフロントバッフル板23に直接接触することがなくなる。
【００１９】
また、緩衝材6は、任意の形状であることができるが、たとえばスピーカーユニット3のフランジ形状に合わせた形状である。また、緩衝材6は、スピーカーユニット3からフロントバッフル板23に伝わる振動を防止することができる任意の材料および厚さであることができる。たとえば、緩衝材6は、ソルボセインなどの粘弾性高分子化合物および発泡ウレタンシートなどであることができる。また、緩衝材6は、ソルボセインを使用する場合、0.5mm〜3mm以上、たとえば1mmであることができる。
【００２０】
スピーカーユニット3は、スピーカーユニット3のダイキャストフレーム5を引っ張ることによって緩衝材6を介してスピーカーユニット3のフランジがフロントバッフル板23に対して固定される。スピーカーユニット3を固定するためには、スピーカーユニット3を引っ張ることができ、かつ一定の力でスピーカーユニットを固定することができる任意の手段を使用することができる。たとえば、スピーカーユニット3を固定するために、非伸縮性の固定部材を使用することができる。固定部材は、スピーカーユニット3を固定するために、スピーカーユニット3を引っ張ることができ、かつ一定の力を保持してスピーカーユニットを固定することができる任意の構成であることができる。固定部材は、非伸縮性の固定部材、たとえばケーブルなどであることができる。本明細書において、ケーブルの用語は、針金または麻を撚り合わせた綱を含み、さらに紐、綿および麻などの材料を撚り合わせた紐、並びに金属などの紐状材料であるストリングを含む。具体的には、ケーブルの用語は、ケブラーケーブル、ダイニーマロープおよびストリングを含む。より具体的には、ケーブルの用語は、耐断裂性が高く伸縮性の低い紐を含む。また、非伸縮性の固定部材は、使用される材料に応じて任意の太さであることができ、たとえば0.01mm〜3mm、0.1mm〜2mm、0.5mm〜1mmであることができる。本明細書において、非伸縮性の用語は、伸縮性が低いこと、および実質的に伸縮性がないことを含む。
【００２１】
図1〜3は、本考案のスピーカー1において固定部材を使用して種々の手段によってスピーカーユニット3をフロントバッフル板23に固定する例を示す。
【００２２】
図1は、固定部材としてケーブル、たとえばダイニーマロープ7、ストリング8および金属リング10を使用してスピーカーユニット3をフロントバッフル板23に固定する例を示す。スピーカーユニット3のダイキャストフレーム5には、ダイニーマロープ7を通し、一方で金属リング10にもダイニーマロープ7を通す。多くの場合、ダイキャストフレーム5の4箇所にダイニーマロープ7を通して金属リング10に接続する。金属リング10には、ストリング8も通す。ストリング8を引っ張ることにより金属リング10およびダイニーマロープ7を介してスピーカーユニット3を後方へ引っ張る。ストリング8は、適切な張力となるように引っ張って固定する。ストリング8を固定するためには、任意の手段を使用することができるが、たとえば図1に示すように止め具11によってストリング8を固定することができる。
【００２３】
図1に示すような固定方法であれば、スピーカーユニットの大きさにかかわらず、平面のバッフル板に固定することができる。さらに、このような固定方法であれば、既存の製品であっても追加加工によって本願考案の固定手段で固定することが容易である。
【００２４】
図2は、固定部材を引っ張るために、ボルト13および固定板9を使用してスピーカーユニット3をフロントバッフル板23に固定する例を示す。ボルト13をナット12によってフロントバッフル板23に固定する。ボルト13は、任意の箇所に固定することができるが、たとえば、図2には、4本のボルト13をフロントバッフル板23に固定する例を示す。図2では、フロントバッフル板23の表面および裏面のそれぞれ4箇所にて合計8個のナット12で4本のボルト13をしっかりと固定している。ボルト13の長さは、スピーカーユニット3の前面からスピーカーユニット3の最後部の長さよりも長く、かつフロントバッフル板23からリアバッフル板24までの長さよりも短くする。ボルト13の一方は、フロントバッフル板23に固定するが、他方は、固定板9に固定する。図2では、固定板9は、四角形の板であり、その略四隅にボルト13を固定している。固定板9は、たとえばアルミニウム板および鉄板などの張力をかけても変形しない丈夫な板であれば任意の材料であることができる。ボルト13は、固定板9に対して任意の手段で固定することができる。たとえば、図2に示すように、固定板9に開けた穴にボルト13を通し、固定用のナット12によって固定板9の表面および裏面のそれぞれからボルト13をしっかりと固定することができる。
【００２５】
ボルト13を固定した後、スピーカーユニット3のダイキャストフレーム5に、ケーブル、たとえばダイニーマロープ7を通し、一方で固定板9にもダイニーマロープ7を通す。固定板9には、図2に示すようにダイニーマロープを通すための穴を開けておき、ダイニーマロープ7を穴に通して引っ張ることによりスピーカーユニット3を後方へ引っ張る。ダイニーマロープ7は、一本のダイニーマロープ7をダイキャストフレーム5および固定板9の穴に通した後、適切な張力となるように引っ張り、結び目を付ける等によって固定する。あるいは、複数本のダイニーマロープ7をダイキャストフレーム5に通して固定板9のそれぞれの穴にそれぞれ通して固定させてもよい。
【００２６】
図2に示したスピーカーユニット3の固定手段によれば、ダイニーマロープ7によってダイキャストフレーム5と固定板9を引っ張って固定した後に、固定板9にボルト13を固定しているナット12の位置をずらすことによってダイニーマロープ7による張力を調節することができる。また、ボルト13を固定板9に固定している4箇所、計8個のナット12回転することによってそれぞれのボルト13における位置を調節することができるため、フロントバッフル板23の面と平行な状態を維持しながら固定板9における4箇所のボルト13の固定箇所のそれぞれにおいて均等な張力となるように、容易に調節することができる。
【００２７】
図3は、固定部材を引っ張るために、クランプ用ボルト14を使用してスピーカーユニット3をフロントバッフル板23に固定する例を示す。クランプ用ボルト14は、丸板15に固定する。図3では、固定板として丸板15に4つの穴を開け、中心にボルト固定用のねじ穴を開けた丸板15を使用している。クランプ用ボルト14において、丸板15を固定した側の反対側は、リアバッフル板24に固定する。図3では、クランプ用ボルト14の丸板15とは反対側をリアバッフル板24に開けた穴に通し、固定ナット12でクランプ用ボルト14を固定している。また、図3では、丸板15にダイニーマロープ7を固定しているが、任意の固定板を使用することができる。固定板は、たとえばアルミニウム板および鉄板などの張力をかけても変形しない丈夫な板であれば任意の材料であることができる。図3において、固定部材であるダイニーマロープ7によってスピーカーユニット3を引っ張るためには、まずスピーカーユニット3のダイキャストフレーム5にダイニーマロープ7を通し、一方で丸板15にもダイニーマロープ7を通して結ぶ。ダイニーマロープ7は、適切な張力となるように引っ張った後、結び目を付ける等によって固定する。クランプ用ボルト14の一方を丸板15に固定し、他方をリアバッフル板24に開けた穴に通し、固定ナット12でクランプ用ボルト14を固定する。
【００２８】
図3に示したスピーカーユニット3の固定手段によれば、ダイニーマロープ7によってダイキャストフレーム5と丸板15を引っ張って固定した後に、丸板15をクランプ用ボルト14のリアバッフル板24側の位置をナット12を回転させることによって調節することができる。これにより、ダイニーマロープ7による張力を調節することができる。また、丸板15の中央にクランプ用ボルト14を固定することにより、複数のダイニーマロープ7について一度にそれぞれの張力を調節することができるため、バッフル板23の面と平行な状態を維持しながら均等な張力となるように調節しやすい。
【００２９】
本考案のスピーカーにおいて、非伸縮性の固定部材として使用する材料は、上記のように図1〜3に示したようなロープおよびストリングの他、任意の紐状および線状の材料を使用することができる。また、非伸縮性の固定部材は、上記の固定手段の他の任意の手段を使用して固定することができる。非伸縮性の固定部材は、図1に示すように筐体2に直接固定してもよいし、図2および3に示すように、固定板9や丸板15を介して筐体2に固定してもよい。
【００３０】
また、非伸縮性の固定部材によって引っ張る力は、スピーカーユニット3をしっかりと固定することができ、かつ筐体2が耐え得る張力であることができ、たとえば非伸縮性の固定部材によって引っ張る力は、100g〜10kg、たとえば1kg〜5kg、特に3kg〜4kgであることができる。
【００３１】
本考案のスピーカーは、スピーカーユニット3のフランジをバッフル板23に固定する際にねじ止めを使用することなく固定することができる。したがって、スピーカーユニット3からバッフル板23に伝わる振動を防止することができる。さらに、スピーカーユニット3とバッフル板23の間に緩衝材を備えるため、さらにスピーカーユニット3からバッフル板23に伝わる振動を防止することができる。また、スピーカーユニット3のリア側も、ねじ止め等で固定せず、ダイニーマロープ7などの非伸縮性の固定部材によって引っ張っているだけであり、スピーカーユニット3のリア側から筐体2に振動が直接伝わることはない。したがって、スピーカーユニット3から従来のフレームマウント方式のスピーカーシステムを凌ぐ克明で繊細な再生音を提供することができる。
【実施例】
【００３２】
本願考案のスピーカーの一例を作製した。スピーカーユニットとしてPARC AUDIO  DCU-F121Kを使用した。バッフル板の材質は、ブナ材であり、厚さ15mm、取付口径98mmとした。筐体は、幅200mm、高さ250mm、奥行240mmの外形寸法あり、容積4.5lデュアルドロンコーン搭載のものを使用した。スピーカーユニットを引っ張るための紐は、ケブラーケーブル0.6mm径（ケブラーとD/A 6号）およびケブラーケーブル1mm径を使用した。緩衝材は、ソルボセイン厚さ3mm+発泡ウレタンシート厚さ1mmを使用した。
【００３３】
製作手順１
1.スピーカーユニットのダイキャストフレーム部の4か所の隙間にそれぞれケブラーケーブル（0.6mm径）を通した。次いで、図1に示すように、それぞれのケブラーケーブルを1本の紐として金属リングにまとめて、全体の長さを90cmに結んだ。ケブラーケーブルをまとめた金属リングに、別のケブラーケーブル（1mm径）を通した。リアバッフル板に開けた穴1.5mmφに予め通しておく。。引っ張ることができる長さとして余裕を持たせて、最終的な長さの20cm以上のままケブラーケーブルを切らずにおく。
【００３４】
2.スピーカーユニットの取り付フランジに合わせてソルボセインを厚さ3mmをリング状に切り成型した。外径128mmおよび内径98mmとした。
【００３５】
3.スピーカーユニットのフランジ裏側およびバッフル版に、成形したソルボセインを取り付けた。図5は、スピーカーユニット3のフランジ部分、すなわち筐体2と接触する部分に厚さ3mmのソルボセインを設置した写真である。
【００３６】
4.上記のとおりにケブラーケーブルおよび緩衝材を取り付けたスピーカーユニットを開口部に取り付けた。ただし、完全に閉じることはしない。図6は、スピーカーユニット3を筐体2に取り付ける前の写真である。
【００３７】
5.リアバッフル板の穴を通したケブラーケーブルをリアバッフル板の内部の金属リングに結び付けたリアバッフル板の外側に出ているケブラーケーブルを引っ張りながら金属金具と木ネジで固定した。固定後に余分なケブラーケーブルを切断した。図8は、スピーカーユニットをケブラーケーブルで固定したときの筐体内部の写真である。次いで、引っ張る力を強くするために、リアバッフル板と留めた金属金具との間に棒状の物を挟んで引っ張り強度をあげた。図9は、固定部材としてのストリングをリアバッフル板に固定したときの張力を調整するために木片を挿入した写真である。スピーカーユニットをしっかりと引っ張って固定することができた。次いで、1.5mm穴を充填剤で塞いだ。
【００３８】
上記のとおりに作製したスピーカーを図1に示すように固定することができた。スピーカーユニットを取り付けたスピーカーは、1台の重量が4.8kgであった。図10は、完成したスピーカーの正面からの写真である。
【００３９】
図7に示すように、背面に引き出したケブラーケーブルに計量器を掛けて張力を測定した。図7は、張力を測定した結果、5.315kgであったことを示す写真である。
【００４０】
種々の力でケブラーケーブルを引っ張って試験したところ、少なくとも1kg〜10kgにおいてしっかりとスピーカーユニット3が固定されることが確認できた。筐体2が破壊されない力であれば10kg以上の力で固定してもよいが、それ以上の力は不要であると考えられる。
【００４１】
また、このときのスピーカー1をオーディオシステムに接続して再生音を確認したところ、従来のフレームマウント方式のスピーカーシステムを凌ぐ繊細且つ克明な再生音であった。
【産業上の利用可能性】
【００４２】
本考案は、スピーカーに使用することができる。
【符号の説明】
【００４３】
1・・・スピーカー
2・・・筐体（バッフル板）
23・・・フロントバッフル板
24・・・リアバッフル板
3・・・スピーカーユニット
5・・・ダイキャストフレーム
6・・・緩衝材
7・・・ダイニーマロープ
8・・・ストリング
9・・・固定板
10・・・金属リング
11・・・止め具
12・・・ナット
13・・・ボルト
14・・・クランプ用ボルト
15・・・丸板
【図１】
0003230885.tif 000003
【図２】
0003230885.tif 000004
【図３】
0003230885.tif 000005
【図４】
0003230885.tif 000006
【図５】
0003230885.tif 000007
【図６】
0003230885.tif 000008
【図７】
0003230885.tif 000009
【図８】
0003230885.tif 000010
【図９】
0003230885.tif 000011
【図１０】
0003230885.tif 000012
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
スピーカー筐体と、
前記筐体のフロントバッフル板に設置されたスピーカーユニットと、
前記フロントバッフル板と前記スピーカーユニットとの間に設置された緩衝材と、
前記スピーカーユニットのダイキャストフレームを引っ張ることによって前記スピーカーユニットを前記フロントバッフル板に固定する非伸縮性の固定部材と、
を備えるスピーカー。
【請求項２】
前記固定部材は、ケーブルであり、前記スピーカーユニットは、前記ダイキャストフレームを前記ケーブルで引っ張る張力によって前記フロントバッフル板に固定される、請求項1に記載のスピーカー。
【請求項３】
前記ケーブルは、前記ダイキャストフレームを引っ張り、かつリアバッフル板に固定される、請求項2に記載のスピーカー。
【請求項４】
前記ケーブルは、前記ダイキャストフレームを引っ張り、かつ前記筐体内に設置された固定板に固定される、請求項2に記載のスピーカー。
【請求項５】
前記ケーブルは、前記ダイキャストフレームを引っ張り、かつ前記筐体内の固定板に固定され、前記固定板は、ボルトを介して前記リアバッフル板に固定される、請求項3に記載のスピーカー。